(57)【要約】【課題】居住空間の床板を躯体の床スラブから離隔するとともに下階と上階の居住空間を接続可能な集合住宅を提供する。【解決手段】集合住宅は、第１梁（１２，１２ａ）と第２梁（１２，１２ｂ）間に取り外し可能に架設されて、下階の住戸空間（Ｓ）と上階の住戸空間を仕切る乾式仕切板（１６）と、第１梁および第２梁から垂下する第１および第２の吊下材（２４，２４）、これらの吊下材に架設される横材（２５）、および横材に支持されて住戸空間の床を構成する床板（２９）を有し横材および床板は直下の乾式仕切板（１６）と隙間を介して対面する吊床構造を備える。【選択図】図３
2016180290.tif 000002
【特許請求の範囲】
【請求項１】
複数の柱および該柱同士を連結する複数の梁を含む躯体と、
前記梁間に取り外し可能に架設されて、下階と上階の住戸空間を仕切る乾式仕切板と、
前記梁のうち所定の住戸空間の一側に配置される第１梁から垂下する第１吊下材、前記梁のうち前記所定の住戸空間の他側に配置される第２梁から垂下する第２吊下材、前記第１および第２吊下材に架設される横材、並びに前記横材に支持されて前記所定の住戸空間の床を構成する床板を有し、前記横材および前記床板は直下の前記乾式仕切板と隙間を介して対面する吊床構造とを備える、集合住宅。
【請求項２】
前記第１および／または第２吊下材は前記梁の下面から垂下する、請求項１に記載の集合住宅。
【請求項３】
前記乾式仕切板は前記梁の側面に取付固定される、請求項１または２に記載の集合住宅。
【請求項４】
前記横材には配管用開口が形成される、請求項１〜３のいずれかに記載の集合住宅。
【請求項５】
前記横材と前記躯体の間に設けられて前記横材の水平方向の揺動を規制する振れ止め手段をさらに備える、請求項１〜４のいずれかに記載の集合住宅。
【請求項６】
前記第１および／または第２吊下材は、上下方向に弾性変形可能な弾性部材を含む、請求項１〜５のいずれかに記載の集合住宅。
【請求項７】
前記躯体は鉄筋コンクリート造である、請求項１〜６のいずれかに記載の集合住宅。
【請求項８】
前記乾式仕切板は軽量気泡コンクリート板である、請求項１〜７のいずれかに記載の集合住宅。
【請求項９】
前記横材は、前記第１梁および前記第２梁の延在方向に所定の間隔を空けて複数配列され、
前記乾式仕切板は、前記第１梁および前記第２梁の延在方向に連続して複数配列される、請求項１〜８のいずれかに記載の集合住宅。
【請求項１０】
前記柱間に配置されて、同階で隣接する住戸空間同士を仕切る取り外し可能な乾式仕切壁をさらに備える、請求項１〜９のいずれかに記載の集合住宅。
【発明の詳細な説明】
【技術分野】
【０００１】
本発明は、吊床構造を有する集合住宅に関する。
【背景技術】
【０００２】
集合住宅では、複数の住戸空間が上下方向および横方向に連続して配置されている。そして上下階で隣接する住戸空間同士が躯体のスラブ（床スラブあるいは天井スラブともいう）によって仕切られ、横方向に隣接する住戸空間同士が躯体壁によって仕切られている。集合住宅で発生する騒音には、住戸空間内の声といった空気音と、住戸空間の床面および壁面を打撃する際に発生する固体音がある。集合住宅の騒音対策として、スラブおよび躯体壁の厚みを大きくするほど隣接する住戸空間に空気音が伝搬し難くなる。しかしながら、固体音は躯体を伝搬するため、スラブおよび躯体壁の厚みを大きくしても隣接する住戸空間に聞こえてしまう。
【０００３】
そこで上階の住戸空間の固体音が下階の住戸空間に伝搬し難くなるようにする集合住宅の騒音対策として、特開２００９−１７４２４２号公報（特許文献１）および特開２００２−３１７５２１号公報（特許文献２）に記載される床支持構造が知られている。特許文献１に記載の床支持構造は、コンクリート建築物に設けられ、上階からみて床スラブであり下階からみて天井スラブであるスラブを有する躯体に対し、スラブによって上階および下階から仕切られた居住空間に梁材、垂下支持体、および床構造体を配置する。梁材は断面Ｈ形の鋼材であり、天井スラブの下面にアンカーボルト等によって固定される。梁材には垂下支持体が垂設される。床構造体は、床スラブと非接触となるように、複数本の垂下支持体の下端部に接続される。
【０００４】
特許文献２に記載の床支持構造は、集合住宅の骨格を構成する正梁構造のコンクリート躯体において、床構造体をコンクリート躯体に浮動状にフローティング支持するというものである。
【０００５】
特許文献１および特許文献２に記載の床支持構造は、床構造体が直下の床スラブから離隔していることから、床構造体を打撃する際に発生する固体音が固体を通過して直下の床スラブに伝搬することがなく、遮音性能に優れる。
【先行技術文献】
【特許文献】
【０００６】
【特許文献１】特開２００９−１７４２４２号公報
【特許文献２】特開２００２−３１７５２１号公報
【発明の概要】
【発明が解決しようとする課題】
【０００７】
ところで少子化と人口減少に反比例して、高品質な集合住宅が求められている。集合住宅は耐久性が高く、長期間使用されるため、将来のリフォーム等を考慮して、隣接する居住空間同士を接続して広く使えるよう、可変性を具備する集合住宅が求められている。
【０００８】
特許文献１および特許文献２のコンクリート躯体は、柱、壁、およびスラブが一体に剛結しているため、構造体としての壁およびスラブを取り払うことが不可能であり、隣接する居住空間同士を接続して、住戸空間を広げることができない。仮にスラブを取り払うことが可能であるとしても、特許文献１および特許文献２では、垂下支持体の上端を天井スラブに連結固定することから、天井スラブを取り払うためには床構造体および垂下支持体を壊さなければならず、可変性に劣る。
【０００９】
本発明は、上述の実情に鑑み、居住空間の床板を躯体の床スラブから離隔してフローティング支持することができるだけでなく、この床板フローティング構造を残したまま下階の居住空間と上階の居住空間を接続することができる可変性に優れた集合住宅を提供することを目的とする。
【課題を解決するための手段】
【００１０】
この目的のため本発明による集合住宅は、複数の柱および該柱同士を連結する複数の梁を含む躯体と、梁間に取り外し可能に架設されて下階と上階の住戸空間を仕切る乾式仕切板と、梁のうち所定の住戸空間の一側に配置される第１梁から垂下する第１吊下材、梁のうち所定の住戸空間の他側に配置される第２梁から垂下する第２吊下材、第１および第２吊下材に架設される横材、並びに横材に支持されて所定の住戸空間の床を構成する床板を有し、横材および床板は直下の乾式仕切板と隙間を介して対面する吊床構造とを備える。
【００１１】
かかる本発明によれば、床板を直下の乾式仕切板から離隔させる吊床構造を備えることから、住戸空間の固体音が躯体に伝搬しない。また住戸空間の空気音は乾式仕切板に遮断される。したがって遮音性能を確保することができる。しかも乾式仕切板が躯体に取り外し可能に架設され、吊下材が乾式仕切板からではなく梁から垂下することから、吊床構造を壊すことなく乾式仕切板を取り外して下階の住戸空間と上階の住戸空間を接続することができる。したがって遮音性能を確保したまま集合住宅の可変性が向上する。なお本発明の集合住宅とは、アパート、マンション、その他の共同住宅や長屋をいう。
【００１２】
吊下材と梁の連結構造、および乾式仕切板と梁の連結構造は特に限定されないが、好ましい実施形態として第１および／または第２吊下材は梁の下面から垂下する。あるいは他の実施形態として乾式仕切板は梁の側面に取付固定される。
【００１３】
これらの実施形態によれば、吊下材の平面位置と乾式仕切板の平面位置を異ならせることが可能となり、乾式仕切板を梁から容易に取り外し、吊下材と干渉しないように住戸空間から搬出することができる。
【００１４】
横材の材質および断面形状は特に限定されないが、好ましい実施形態として横材には配管用開口が形成される。かかる実施形態によれば、配管の固体音、例えば水の流れる音等、が下階に伝搬することを防止することができ、遮音性能が益々向上する。また配管類を吊り下げて支持することから配管の維持管理および改変が容易になる。
【００１５】
横材は第１および第２吊下材のみを介して躯体と連結してもよいが好ましい実施形態として横材と躯体の間に設けられて横材の水平方向の揺動を規制する振れ止め手段をさらに備える。かかる実施形態によれば床材が水平方向に揺動することを防止できる。振れ止め手段は例えば、横材および躯体を連結するワイヤであったり、あるいはゴム等、横材および躯体間に介挿されるブロック状の緩衝材であったりする。
【００１６】
第１および第２吊下材は単なる棒鋼あるいは鋼製等のワイヤであってもよいが、本発明の一実施形態として第１および／または第２吊下材は上下方向に弾性変形可能な弾性部材を含む。かかる実施形態によれば、吊床構造を免震構造として、地震時に躯体の縦揺れを弾性部材で吸収することができ、住戸空間の縦揺れを抑制することができる。しかも本実施形態は住戸空間毎に設けられる簡易免震構造であるから、集合住宅の地下階に設置される免震ゴム等、一般的な免震構造と比較してコスト上有利であり、スペースおよび敷地の制約を受けない。弾性部材は例えばスプリングである。弾性部材の弾性係数は所定値以上であって、住戸空間内部で床板に日常付与される小さな打撃に対しては殆ど上下振動せず、地震時に受ける大きな上下方向加速度に応動する。
【００１７】
躯体構造は特に限定されず、鉄骨造あるいは鉄筋鉄骨造であってもよい。本発明の一実施形態として躯体は鉄筋コンクリート造である。かかる実施形態によれば、空気音が伝搬し難く遮音性が向上する。
【００１８】
乾式仕切板の材質は特に限定されないが、好ましくは空気音が伝搬し難いプレキャストコンクリート製であり、より好ましい実施形態として乾式仕切板は軽量気泡コンクリート（ＡＬＣ）板である。かかる実施形態によれば、集合住宅を軽量化することができ、施工性が向上する。
【００１９】
本発明の横材の本数および配置レイアウトは特に限定されないし、本発明の乾式仕切板の枚数および配置レイアウトも特に限定されないが、好ましい実施形態として複数の横材は第１梁および第２梁の延在方向に所定の間隔を空けて複数配列され、乾式仕切板は第１梁および第２梁の延在方向に連続して複数配列される。かかる実施形態によればリフォームの際、下階の住戸空間の一部を上階の住戸空間と接続することができ、しかも上階の吊床構造の取り壊しおよび乾式仕切板の取り外しを最小限にすることができるので可変性が益々向上する。
【００２０】
好ましい実施形態として柱間に配置されて、同階で隣接する住戸空間同士を仕切る取り外し可能な乾式仕切壁をさらに備える。かかる実施形態によればリフォームに際して同階で隣接する住戸空間同士を接続することができ、可変性がさらに向上する。なお乾式仕切壁は、金物および分離可能な連結具を介して上階の梁と下階の梁に取付固定される。連結具は例えばボルトおよびナットである。
【発明の効果】
【００２１】
このように本発明によれば、吊床構造を備えながらも住戸空間の可変性に富み、将来の大規模なリフォームにも対応可能である。
【図面の簡単な説明】
【００２２】
【図１】本発明の一実施形態になる集合住宅を示す横断面図である。
【図２】同実施形態になる集合住宅を示す縦断面図である。
【図３】同実施形態から住戸空間を取り出して示す横断面図である。
【図４】図２に示す集合住宅のリフォーム後を示す縦断面図である。
【発明を実施するための形態】
【００２３】
以下、本発明の実施の形態を、図面に基づき詳細に説明する。図１は、本発明の一実施形態になる集合住宅を示す横断面図であり、紙面左右方向が住戸の横方向を表し、紙面上下方向が住戸の上下方向を表し、紙面垂直方向が住戸の奥行方向を表す。図２は、同実施形態になる集合住宅を示す縦断面図であり、紙面左右方向が住戸の奥行方向を表し、紙面上下方向が住戸の上下方向を表し、紙面垂直方向が住戸の横方向を表す。図３は、同実施形態から住戸空間を取り出して示す横断面図であり、図１に示す住戸空間を拡大して表す。
【００２４】
集合住宅１０は、ＲＣ（鉄筋コンクリート）造の躯体２０を備え、躯体内に住戸空間Ｓが上下方向および横方向に繰り返し連続して設けられる。図１および図２では、３階分のみ取り出して示すが、躯体は２階以上の建築物であればよく、高層建築物であってもよい。また図１では住戸空間が横方向に繰り返し連続して設けられているが、図示しない他の実施形態として住戸空間が横方向に単体で設けられていてもよいし、奥行方向に繰り返し連続して設けられてもよい。
【００２５】
躯体はコンクリート打設によって一体に結合する柱１１および梁１２，１３を含み、隣り合う柱１１、１１同士が、奥行方向に延びる梁１２によって連結され、横方向に延びる梁１３によって連結されるラーメン構造である。本実施形態の躯体は、柱１１および梁１２，１３のみの純ラーメン構造であってもよいし、あるいは後述する乾式仕切壁１４，１５の一部が柱１１および梁１２，１３に一体に結合する耐力壁になる耐力壁付ラーメン構造であってもよい。本実施形態では、各住戸空間Ｓが直方体であり、住戸空間Ｓの四隅に柱１１が配置され、住戸空間Ｓからみて天井の各辺に梁１２，１３がそれぞれ配置される。梁１２，１３は図１〜図３に示すように矩形断面であり、上面、下面、および側面を有する。
【００２６】
住戸空間Ｓは、乾式仕切壁１４によって横方向に隣接する空間から仕切られ、乾式仕切壁１５によって奥行方向に隣接する空間から仕切られ、乾式仕切板１６によって上下方向に隣接する空間から仕切られる。乾式仕切壁１４、乾式仕切壁１５、および乾式仕切板１６は例えば軽量気泡コンクリート板（ＡＬＣ板）等のプレキャストコンクリートである。乾式仕切壁１４，１５は隣り合う柱１１，１１同士間に設置され、躯体２０に固定される。乾式仕切板１６は、互いに平行に延びる梁１２，１２間に取り外し可能に架設され、梁１２，１２同士間の開口を閉塞する。乾式仕切板１６の板厚寸法は梁１２の断面の上下寸法よりも小さく、乾式仕切板１６の下方には、図３に示すように梁１２の側面１２ｓにアングルのブラケット２１が例えばアンカーボルトで取付固定され、梁１２の側面１２ｓから突出するブラケット２１が、乾式仕切板１６の端部の下面に接触して、乾式仕切板１６を下方から支持する。かくして乾式仕切板１６の端部は梁１２の側面１２ｓに接続され、乾式仕切板１６の上面と梁１２の上面１２ｕが面一にされる。
【００２７】
将来のリフォームの要望により、下階の住戸空間Ｓｄと上階の住戸空間Ｓｕを接続してメゾネットにする場合、両者間の乾式仕切板１６を上方へ持ち上げて取り外すことによって、ブラケット２１および梁１２から取り外すことができるし、あるいはブラケット２１と梁１２との結合を解除することによって、乾式仕切板１６を上下方向に取り外すことができる。
【００２８】
本実施形態の乾式仕切板１６は、隣り合う上下階の住戸空間Ｓのうち、上階の住戸空間Ｓｕからみて床スラブに相当し、下階の住戸空間Ｓｄからみて天井スラブに相当する。また各乾式仕切板１６は短冊状であって、図１および図３に示すように住戸空間Ｓの横方向に延び、横方向に離隔した梁１２，１２間に取り外し可能に架設されて、図２に示すように奥行方向に連続して複数配置される。なお図２に示すように短冊状の乾式仕切板１６を多数敷き詰めるように配置する他、１枚あるいは数枚の大きな乾式床板を、梁１２，１２同士間の開口区画に配置してもよい。
【００２９】
図３に示すように乾式仕切壁１４の壁厚寸法は梁１２の幅寸法よりも小さく、天井の梁１２の下面１２ｄは床の梁１２の上面と対面する。住戸空間の横方向に離隔して配置される第１梁１２ａおよび第２梁１２ｂには、アンカーボルト２３によって吊下材２４の上端が取付固定される。吊下材２４は第１梁１２ａおよび第２梁１２ｂの下面１２ｄからそれぞれ下方に垂下して対をなし、各対の吊下材２４，２４の下端には横材２５の端部がそれぞれ取付固定される。引張力を受ける吊下材２４は屈曲可能なワイヤであってもよいし、あるいは棒鋼、あるいは形鋼であってもよい。吊下材２４の材質は鋼製が好ましいが特に限定されない。各吊下材２４は隣り合う乾式仕切壁１４と隙間Ｇｗを空けて配置される。図２に示すように梁１２には、住戸の奥行方向に間隔を空けて複数対の吊下材２４が設けられる。
【００３０】
ここで附言すると、本実施形態の第１梁１２ａおよび第２梁１２ｂは、乾式仕切板１６の端部を支持し、乾式仕切板１６の中央領域を支持しないことから、大梁とも称する。躯体２０は、図示はしないがこれら大梁の他に、乾式仕切板１６あるいはスラブの中央領域を支持する小梁を有してもよい。また乾式仕切壁１４は取り外し可能に躯体２０の大梁１２に取り付けられ、将来のリフォームに際して乾式仕切壁１４を取り外すことにより、同階で隣接する住戸空間Ｓ同士を接続することができる。
【００３１】
横材２５は、図３に示すように住戸空間Ｓの横方向に水平に延び、図２に示すように住戸空間Ｓの奥行方向に所定の間隔を空けて複数配置され、直下の乾式仕切板１６から隙間Ｇｆ（図３）を空けて配置される。横材２５はＨ形鋼であり、Ｈ形鋼のフランジが上縁および下縁になるよう配置される。横材２５の端部の下部には、下縁が上縁よりも短くなるよう切欠２６が設けられる。横材２５の端部の上部には上縁フランジを貫通するように金物２７が取り付けられ、この金物２７に吊下材２４の下端が取り付けられる。なお図には示さなかったが横材２５は木製や他の材料からなる角材であってもよく特に限定されない。
【００３２】
複数の横材２５の上縁には、上方から床枠組２８と、床枠組２８に支持される床板２９が敷設される。床板２９は基板と、基板の上に貼着される仕上用フロア材を含む。吊下材２４、横材２５、床枠組２８、および床板２９は吊床構造を構成する。なお図には示さなかったが他の実施形態として、吊下材２４は１対のみであってもよく、床板２９を支持する横材２５は１本のみであってもよい。
【００３３】
床板２９の外縁には、住戸空間Ｓを覆う壁枠組３１と、壁枠組３１に支持される壁板３２が立設される。住戸空間Ｓは仕切られていない一個の空間であってもよいが、通常は床板２９に内壁３３をさらに立設し、内壁３３にはドア３４を設けて、住戸空間Ｓを複数の部屋および廊下に仕切る。壁板３２の上縁には天井枠組３５と、天井枠組３５に支持される天井板３６が敷設される。壁板３２および天井板３６は基板と、基板の上に貼着される仕上用クロス材を含む。
【００３４】
かくして横材２５は、住戸空間Ｓの床枠組２８、壁枠組３１、天井枠組３５、床板２９、壁板３２、天井板３６、内壁３３、およびドア３４を下方から支持する。住戸空間Ｓの床枠組２８および床板２９は直下の乾式仕切板１６と隙間を介して対面する。同様に住戸空間Ｓの天井枠組３５および天井板３６は、直上の乾式仕切板１６と隙間を介して対面し、住戸空間Ｓの壁枠組３１および壁板３２は、隣り合う乾式仕切壁１４と隙間を介して対面する。そして住戸空間Ｓの内部の荷重は吊床構造に支持される。つまり天井の乾式仕切板１６は住戸空間Ｓの内部の荷重を一切支持しない。
【００３５】
なお天井板３６の一部を低くして、乾式仕切板および天井枠組間に配管スペース３７を設けてもよい。配管スペース３７に設置される天井配管３８は、図示しないブラケットによって、隣り合う天井枠組３５に支持されてもよいし、あるいは直上の乾式仕切板１６に支持されてもよい。
【００３６】
Ｈ形鋼である横材２５のウェブには図３に示すように配管用開口３９が形成され、床配管４０が配管用開口３９を貫通する。配管用開口３９は例えば円形であり、床配管４０は上下水道等の水道管、ガス管、あるいは電線等であるが特に限定されない。したがって住戸空間Ｓの床配管４０も、吊床構造に支持され、直下の乾式仕切板１６と隙間を介して対面する。
【００３７】
吊下材２４は、長手方向途中位置にスプリング４１を含む。スプリング４１は上下方向に弾性変形可能な弾性部材であり、簡易免震装置として、地震時の躯体２０の揺れが住戸空間Ｓの吊床構造に伝搬し難くする。
【００３８】
横材２５の端部と、横材２５と隙間Ｇｆを介して対面する乾式仕切板１６を支持する梁１２との間には、振止ワイヤ４２が設置される。振止ワイヤ４２は各梁１２の上面にアンカーボルト等で固定され、横材２５の揺動を規制する振れ止め手段として、吊床構造が横揺れすることを抑止する。これにより吊床構造は揺れない様に安定する。
【００３９】
ところで本実施形態の集合住宅１０によれば、複数の梁１２、および梁１２から上方および下方へ延びる柱１１を含む躯体２０と、梁１２，１２間に取り外し可能に架設されて下階の住戸空間Ｓｄと上階の住戸空間Ｓｕを仕切る乾式仕切板１６（図２）と、梁１２のうち所定の住戸空間Ｓの一側に配置される第１梁１２ａ（図３）から垂下する第１の吊下材２４、梁１２のうち所定の住戸空間Ｓの他側に配置される第２梁１２ｂから垂下する第２の吊下材２４、これら第１および第２の吊下材２４に架設される横材２５、並びに横材２５に支持されて住戸空間Ｓの床を構成する床板２９を有し横材２５および床板２９は直下の乾式仕切板１６と隙間を介して対面する吊床構造とを備える。かかる吊床構造は、住戸空間Ｓの床の乾式仕切板１６から離隔するのみならず、住戸空間Ｓの天井の乾式仕切板１６からも分離される。したがって将来のリフォームの際、吊床構造を壊すことなく、天井の乾式仕切板１６を取り外し、住戸空間Ｓｄを区画する天井枠組３５および天井板３６を取り外すことによって上階の住戸空間Ｓｕと接続することができる。
【００４０】
図４は、図２に示す下階の住戸空間Ｓｄと上階の住戸空間Ｓｕを接続するリフォーム例を示す模式図である。複数の横材２５は、第１梁１２ａおよび第２梁１２ｂの延在方向、すなわち住戸の奥行方向、に所定の間隔を空けて整列し、乾式仕切板１６は第１梁１２ａおよび第２梁１２ｂの延在方向に連続して複数配置される。複数の横材２５の全てあるいは一部を取り外し、取り外した横材２５と対面していた乾式仕切板１６を取り外すことにより下階の住戸空間Ｓｄと上階の住戸空間Ｓｕは接続される。さらに乾式仕切板１６を取り外した開口に階段４３を設けることができる。本実施形態によれば下階の住戸空間Ｓｄと上階の住戸空間Ｓｕを接続するようメゾネットにリフォームする際、上階の吊床構造については所定の横材２５および床板２９を取り外す等、最小限の取り壊しで済み、下階の吊床構造を取り壊す必要がない。したがって床構造体をフローティング支持する従来の集合住宅と比較して可変性に優れる。
【００４１】
また本実施形態によれば、乾式仕切壁１４，１５を取り外すことにより、住戸空間Ｓを横方向あるいは奥行方向に接続することができる。
【００４２】
また本実施形態によれば吊床構造を備えることから、集合住宅１０近傍の道路や鉄道で生じる環境振動が住戸空間Ｓに伝搬することを抑制できる。また乾式仕切壁１４，１５および乾式仕切板１６の厚みを大きくする必要がなく、集合住宅１０の重量を従来よりも軽減することができる。
【００４３】
また本実施形態によれば乾式仕切板１６を備えることから、梁とスラブが一体型になる従来のＲＣ造と比較して現場打ちコンクリートが少なくなって品質管理が容易になるばかりでなく、工期短縮を図ることができる。
【００４４】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。例えば住戸空間は、上下方向に連続して複数配置される他、横方向および奥行方向にも連続して複数配置されていてもよく、乾式仕切壁を取り外すことによって住戸空間を横方向および奥行方向に接続することができる。
【産業上の利用可能性】
【００４５】
この発明になる集合住宅は、マンション等の建築分野において有利に利用される。
【符号の説明】
【００４６】
１０  集合住宅、      １１  柱、      １２，１３  梁、      
１２ａ  第１梁、      １２ｂ  第２梁、      １２ｄ  下面、      
１２ｓ  側面、      １２ｕ  上面、      １４，１５  乾式仕切壁、      
１６  乾式仕切板、      ２０  躯体、      ２１  ブラケット、      
２３  アンカーボルト、      ２４  吊下材、      ２５  横材、      
２６  切欠、      ２７  金物、      ２８  床枠組、      ２９  床板、    
３１  壁枠組、      ３２  壁板、      ３３  内壁、      ３４  ドア、    
３５  天井枠組、      ３６  天井板、      ３７  配管スペース、      
３８天井配管、      ３９  配管用開口、    ４０  床配管、        
４１  スプリング、      ４２  振止ワイヤ、      ４３  階段、      
Ｇｆ，Ｇｗ  隙間、      Ｓ，Ｓｄ，Ｓｕ  住戸空間。
【図１】
2016180290.tif 000003
【図２】
2016180290.tif 000004
【図３】
2016180290.tif 000005
【図４】
2016180290.tif 000006